(57)【要約】  危険防止手段が雨水等により損傷し、過充電等による重大な事故が発生するのを防止することができる携帯型充電式電源装置を提供する。携帯型充電式電源装置は、リチウムイオン電池１１と、組立済回路基板２０と、ケース４０とを備える。組立済回路基板２０には、二つの端子３１ａ，３１ｂや危険防止回路部２６等が搭載されている。組立済回路基板２０のうち二つの端子３１ａ，３１ｂが搭載された第一部分はケース４０の端子収納ケース部４１６に収納され、リチウムイオン電池１１と組立済回路基板２０のうち危険防止回路部２６等が搭載された第二部分とはケース４０の本体収納ケース部４１７に収納される。端子収納ケース部４１６と本体収納ケース部４１７との間を仕切板４１４及び載置板４１５ａにより仕切り、仕切板４１４と組立済回路基板２０との間における隙間をパッキン部材６１で塞いでいる。
2015092927.tif 000002
【特許請求の範囲】
【請求項１】
一又は複数のリチウムイオン電池と、
外部と電力供給のやり取りを行うための、外部に開放された一又は複数の端子と、
少なくとも充電時に前記一又は複数のリチウムイオン電池が過充電されるのを防止する過充電防止手段を含む危険防止手段と、
前記一又は複数のリチウムイオン電池から取り出す電力を制御する制御手段と、
前記一又は複数のリチウムイオン電池と前記一又は複数の端子と前記危険防止手段と前記制御手段とを収納するケースであって、少なくとも、外部から接続可能な前記一又は複数の端子と配線部材である複数の第一導電手段とを収納する端子収納ケース部と、少なくとも、前記一又は複数のリチウムイオン電池と前記危険防止手段と配線部材である複数の第二導電手段とを収納する本体収納ケース部と、前記端子収納ケース部と前記本体収納ケース部との間を仕切る仕切手段とを備えるケースと、
を具備し、
前記複数の第一導電手段と前記複数の第二導電手段とは、前記仕切手段の所定部位に設けられた接続部において電気的に接続されており、前記仕切手段は、前記一又は複数の端子及びその端子の周辺部から前記端子収納ケース部に浸入した水が前記仕切手段の当該所定部位を介して前記本体収納ケース部に浸入するのを防止することを特徴とする携帯型充電式電源装置。
【請求項２】
前記本体収納ケース部には、前記一又は複数のリチウムイオン電池、前記危険防止手段、及び前記複数の第二導電手段のみが収納されていることを特徴とする請求項１記載の携帯型充電式電源装置。
【請求項３】
前記制御手段に対する指示を入力するための操作手段と、前記一又は複数のリチウムイオン電池の残量に関する情報を表示する表示手段と、前記制御手段からの信号に基づいて前記表示手段の作動を制御する表示制御手段とを更に具備することを特徴とする請求項１記載の携帯型充電式電源装置。
【請求項４】
前記本体収納ケース部には、前記一又は複数のリチウムイオン電池と前記危険防止手段の他に、前記制御手段、前記操作手段、前記表示手段、及び前記表示制御手段が収納され、
前記ケースは、厚さ方向において略二分割された第一ケースと第二ケースとからなり、前記第一ケースには前記仕切手段としての一又は複数の第一仕切板が内部に形成され、前記第二ケースには前記第一仕切板に対応する位置に前記仕切手段としての一又は複数の第二仕切板が内部に形成され、前記第一ケースと前記第二ケースとを一体化して前記ケースを形成したときに、前記端子収納ケース部と前記本体収納ケース部とが前記第一仕切板と前記第二仕切板とで区分されるように構成されたものであり、
一体化した前記第一ケース及び前記第二ケースにおける前記本体収納ケース部の所定部位には、前記操作手段を操作すると共に前記表示手段を視認するための開口部が形成され、前記開口部には透明な部位を有する密封シールが貼り付けられていることを特徴とする請求項３記載の携帯型充電式電源装置。
【請求項５】
前記複数の第一導電手段の一部である第一接続パターンが形成され且つ前記一又は複数の端子が搭載された第一部分と、前記複数の第二導電手段の一部である第二接続パターンが形成され且つ前記危険防止手段、前記制御手段、前記操作手段、前記表示手段、及び前記表示制御手段が設けられた第二部分とに、前記第一接続パターンと前記第二接続パターンとを接続する前記接続部としての第三接続パターンが形成された仕切対応部を境界として、区分されている組立済回路基板を備えており、
前記組立済回路基板の前記仕切対応部に、前記仕切対応部における隙間を塞ぐための密閉手段を設け、少なくとも一の前記仕切板が前記密閉手段に圧接するように前記組立済回路基板を前記第一ケース及び前記第二ケース内に取り付けることにより、前記組立済回路基板のうち前記第一部分を前記端子収納ケース部に収納し、前記第二部分を前記本体収納ケース部に収納することを特徴とする請求項４記載の携帯型充電式電源装置。
【請求項６】
前記密閉手段として柔軟性を有するパッキン部材を用い、そのパッキン部材を前記仕切対応部に取り付けたことを特徴とする請求項５記載の携帯型充電式電源装置。
【請求項７】
前記端子収納ケース部と前記本体収納ケース部とは着脱自在に形成され、前記本体収納ケース部の天部が前記仕切手段に対応し、前記端子収納ケース部の底部と前記本体収納ケース部の天部とが対向するようにして、前記端子収納ケース部は前記本体収納ケース部に装着され、
前記複数の第一導電手段の端部が接続される複数の第一電極が前記端子収納ケース部の底部に配置され、前記複数の第二導電手段の端部が接続される複数の第二電極が前記本体収納ケース部の天部と一体的に形成され、前記複数の第二電極は前記接続部に該当し、前記複数の第一電極と前記複数の第二電極とは前記端子収納ケース部を前記本体収納ケース部に装着するときに電気的に接触するように構成されており、
前記危険防止手段には、前記端子収納ケース部を前記本体収納ケース部から取り外したときに、前記本体収納ケース部において前記第二電極間が短絡されたときに電流の流れを遮断する短絡防止手段が含まれていることを特徴とする請求項１又は２記載の携帯型充電式電源装置。
【請求項８】
前記一又は複数の端子及び前記制御手段が設けられた回路基板が前記端子収納ケース部に収納され、前記端子収納ケース部の底部には複数の開口部が形成され、前記回路基板には前記第一導電手段及び前記第一電極に該当する複数の弾性を有する電極の一方の端部が取り付けられ、当該弾性を有する電極の他方の端部が前記端子収納ケースの底部に形成された前記開口部から外に突出していることを特徴とする請求項７記載の携帯型充電式電源装置。
【請求項９】
前記複数の端子の数は２個乃至４個であり、前記複数の端子は、いずれか二つの端子に外部機器のプラグを同時に差し込むことができないように前記端子収納ケース部内で互いに近接して配置されていることを特徴とする請求項１乃至８の何れか一項記載の携帯型充電式電源装置。
【請求項１０】
前記複数の端子は、前記一又は複数のリチウムイオン電池の充電及び前記一又は複数のリチウムイオン電池から外部への電力供給を行うための入出力共用端子であることを特徴とする請求項１乃至９の何れか一項記載の携帯型充電式電源装置。
【発明の詳細な説明】
【技術分野】
【０００１】
本発明は、例えば空調服や暖房服等の電源として利用される、リチウムイオン電池を使用した携帯型充電式電源装置に関するものである。
【背景技術】
【０００２】
近年、空気を流通させることにより人体から出た汗を蒸発させる空調服や面状ヒータにより人体を温める暖房服が実用化されている。空調服の原理や構造についての詳しい説明は、例えば特許文献１に詳細に記載されている。【０００３】
これら空調服や暖房服の電源としては、リチウムイオン電池を使用した携帯型充電式電源装置が用いられている。具体的に、労働を行う使用者が着用する作業用の空調服の電源として利用される携帯型充電式電源装置は、リチウムイオン電池と、出力電力調整ＤＣコンバータとを備えている。リチウムイオン電池としては、例えば、３．７Ｖの電圧、２０００ｍＡｈの容量を有するリチウムイオン単電池を四本直並列に接続して構成された、７．４Ｖの電圧、４０００ｍＡｈの容量を有するものが用いられる。ＤＣコンバータは、リチウムイオン電池から出力される電圧を例えば４Ｖ、５Ｖ、６Ｖ、７．４Ｖのいずれかに切り替える。使用者は、このような携帯型充電式電源装置を使用することにより、作業環境に応じて所望の電圧を選択することができる。
【先行技術文献】
【特許文献】
【０００４】
【特許文献１】特開２００５−５４２９９号公報
【発明の概要】
【発明が解決しようとする課題】
【０００５】
空調服等の電源として用いられる携帯型充電式電源装置では、上記のような大きな電源容量が必要であり、しかも、この電源装置を身につけて使用するため電源装置には十分な安全性が必要である。特にリチウムイオン電池は、ある程度以上の過充電を行うと必ず、破裂、出火など重大な問題を引き起こす。このため、電源装置には、かかる問題の発生を防止するための危険防止回路（危険防止手段）、特に過充電防止回路を設けている。したがって、携帯型充電式電源装置では、過充電防止回路等が正常に機能することが安全上もっとも重要である。【０００６】
ところで、空調服等は屋外でも使用されるため、雨水等が携帯型充電式電源装置の内部に浸入し、その浸入した雨水等により過充電防止回路が破壊されると、過充電による重大事故が発生する可能性が極めて大きい。一般に、空調服に使用される携帯型充電式電源装置は、図２に示すように、ベルトクリップ付き革ケースに収納し、ベルトクリップを用いて革ケースをベルトに留めることにより、身体に装着している。このため、雨が降ったときに、携帯型充電式電源装置が雨に濡れることは避けられない。革ケース内に雨が入り込まないように、革ケースを特別な形状に形成することも考えられるが、これを実現するにはコストがかかるだけでなく、使用時の利便性が大きく損なわれる。【０００７】
また、携帯型充電式電源装置には少なくとも一つの端子が備えられており、この端子に、空調服等に電源を供給するためのケーブルに取り付けられたプラグや、充電器のプラグが差し込まれる。空調服等の使用期間中はほぼ毎日、リチウムイオン電池を充電するため、及び空調服等に電力を供給するために、プラグの抜き差しを行っている。このように、プラグを頻繁に、端子であるジャックに差し込んだり抜いたりするため、携帯型充電式電源装置では、丈夫で抜き差しが簡単に行える汎用ジャックを用いる必要がある。しかし、汎用ジャックは通常、回路基板に取り付けられているので、携帯型充電式電源装置において当該汎用ジャックに対応する位置に形成された開口部から雨水等が内部に浸入するのは避けられない。また、パネル取り付け型のジャックを使用することにより、開口部自体をなくし、開口部からの雨水等の浸入を防止した場合でも、ジャック自体は外部に開放されているので、雨水等が浸み込む隙間があり、雨水等の浸入を完全に防止することができない。尚、ジャック等を用いずに電力のやり取りを行う技術として電磁誘導による方法もあるが、空調服等の電源としては諸々の点で全く実用的でない。【０００８】
本発明は上記事情に基づいてなされたものであり、危険防止手段が雨水等により損傷し、過充電等による重大な事故が発生するのを防止することができる携帯型充電式電源装置を提供することを目的とするものである。
【課題を解決するための手段】
【０００９】
上記の目的を達成するための本発明に係る携帯型充電式電源装置は、
一又は複数のリチウムイオン電池と、
外部と電力供給のやり取りを行うための、外部に開放された一又は複数の端子と、
少なくとも充電時に一又は複数のリチウムイオン電池が過充電されるのを防止する過充電防止手段を含む危険防止手段と、
一又は複数のリチウムイオン電池から取り出す電力を制御する制御手段と、
一又は複数のリチウムイオン電池と一又は複数の端子と危険防止手段と制御手段とを収納するケースであって、少なくとも、外部から接続可能な一又は複数の端子と配線部材である複数の第一導電手段とを収納する端子収納ケース部と、少なくとも、一又は複数のリチウムイオン電池と危険防止手段と配線部材である複数の第二導電手段とを収納する本体収納ケース部と、端子収納ケース部と本体収納ケース部との間を仕切る仕切手段とを備えるケースと、
を具備し、
複数の第一導電手段と複数の第二導電手段とは、仕切手段の所定部位に設けられた接続部において電気的に接続されており、仕切手段は、一又は複数の端子及びその端子の周辺部から端子収納ケース部に浸入した水が仕切手段の当該所定部位を介して本体収納ケース部に浸入するのを防止することを特徴とするものである。【００１０】
本発明の携帯型充電式電源装置では、上記の構成により、少なくとも一又は複数の端子及び複数の第一導電手段が収納された端子収納ケース部と少なくとも一又は複数のリチウムイオン電池、危険防止手段及び複数の第二導電手段が収納された本体収納ケース部との間を仕切手段で仕切り、複数の第一導電手段と複数の第二導電手段とが、仕切手段の所定部位に設けられた接続部において電気的に接続されている。仕切手段は、一又は複数の端子及びその端子の周辺部から端子収納ケース部に浸入した水が仕切手段の当該所定部位を介して本体収納ケース部に浸入するのを防止するため、一又は複数の端子若しくはその周辺部から雨水等が端子収納ケース部内に浸入しても、その浸入した雨水等が本体収納ケース部内に浸入するのを防止することができる。したがって、本体収納ケース部内に収納された危険防止手段が雨水等により損傷し、過充電等による重大な事故が発生するのを防止することができる。【００１１】
ここで、本体収納ケース部には、一又は複数のリチウムイオン電池、危険防止手段、及び複数の第二導電手段のみが収納されているようにしてもよい。
【発明の効果】
【００１２】
本発明の携帯型充電式電源装置では、少なくとも一又は複数の端子及び複数の第一導電手段が収納された端子収納ケース部と少なくとも一又は複数のリチウムイオン電池、危険防止手段及び複数の第二導電手段が収納された本体収納ケース部との間を仕切手段で仕切り、複数の第一導電手段と複数の第二導電手段とが、仕切手段の所定部位に設けられた接続部において電気的に接続されている。仕切手段は、一又は複数の端子及びその端子の周辺部から端子収納ケース部に浸入した水が仕切手段の当該所定部位を介して本体収納ケース部に浸入するのを防止するため、一又は複数の端子若しくはその周辺部から雨水等が端子収納ケース部内に浸入しても、その浸入した雨水等が本体収納ケース部内に浸入するのを防止することができるので、本体収納ケース部内に収納された危険防止手段が雨水等により損傷し、過充電等による重大な事故が発生するのを防止することができる。
【図面の簡単な説明】
【００１３】
【図１】図１（ａ）は本発明の第一実施形態である携帯型充電式電源装置の概略斜視図、図１（ｂ）はその携帯型充電式電源装置の概略正面図、図１（ｃ）はその携帯型充電式電源装置の概略側面図、図１（ｄ）はその携帯型充電式電源装置の概略平面図である。
【図２】図２は第一実施形態の携帯型充電式電源装置を収納するためのベルトクリップ付き革ケースの概略斜視図である。
【図３】図３（ａ）は第一実施形態の携帯型充電式電源装置における電池部の概略斜視図、図３（ｂ）はその電池部の概略正面図である。
【図４】図４（ａ）は第一実施形態の携帯型充電式電源装置における組立済回路基板の概略正面図、図４（ｂ）はその組立済回路基板の概略側面図である。
【図５】図５（ａ）は組立済回路基板に取り付けられるパッキン部材の概略斜視図、図５（ｂ）はそのパッキン部材が取り付けられた組立済回路基板の概略正面図、図５（ｃ）はそのパッキン部材が取り付けられた組立済回路基板のＡ−Ａ矢視方向概略断面図である。
【図６】図６（ａ）は第一実施形態の携帯型充電式電源装置におけるケースの第一ケースの概略斜視図、図６（ｂ）はその第一ケースの概略正面図、図６（ｃ）は第一ケースと第二ケースとを合体させたときのケースの概略平面図である。
【図７】図７は第一ケースにリチウムイオン電池と組立済回路基板とを収納したときの様子を示す図である。
【図８】図８（ａ）は第二実施形態の携帯型充電式電源装置における第一ケースの概略正面図、図８（ｂ）はその第一ケースのＢ−Ｂ矢視方向概略断面図、図８（ｃ）は第二実施形態の携帯型充電式電源装置におけるパッキン付き多芯ケーブルの概略斜視図である。
【図９】図９（ａ）は本発明の接続部として用いられる電極が取り付けられた仕切板の概略正面図、図９（ｂ）その仕切板のＣ−Ｃ矢視方向概略拡大断面図である。
【図１０】図１０（ａ）は第三実施形態の携帯型充電式電源装置の概略正面図、図１０（ｂ）はその携帯型充電式電源装置における本体収納ケース部の概略斜視図、図１０（ｃ）はその携帯型充電式電源装置における端子収納ケース部の概略斜視図、図１０（ｄ）はその端子収納ケース部の概略裏面図である。
【図１１】図１１（ａ）は端子収納ケース部及び本体収納ケース部に取り付けられる電極の概略斜視図、図１１（ｂ）は電極が取り付けられた端子収納ケース部の概略裏面図、図１１（ｃ）はその端子収納ケース部のＤ−Ｄ矢視方向概拡大略断面図である。
【図１２】図１２（ａ）は第三実施形態の変形例である携帯型充電式電源装置の端子収納ケース部の概略裏面図、図１２（ｂ）はその携帯型充電式電源装置の端子収納ケース部のＥ−Ｅ矢視方向概略断面図、図１２（ｃ）はその携帯型充電式電源装置の本体収納ケース部の概略斜視図、図１２（ｄ）はその携帯型充電式電源装置において本体収納ケース部の天板に設けられた第二電極と本体収納ケース部内に収納された回路基板との関係を説明するための図である。
【発明を実施するための形態】
【００１４】
以下に、図面を参照して、本願に係る発明を実施するための形態について説明する。
【００１５】
［第一実施形態］
まず、本発明の第一実施形態について図面を参照して説明する。図１（ａ）は本発明の第一実施形態である携帯型充電式電源装置の概略斜視図、図１（ｂ）はその携帯型充電式電源装置の概略正面図、図１（ｃ）はその携帯型充電式電源装置の概略側面図、図１（ｄ）はその携帯型充電式電源装置の概略平面図である。図２は第一実施形態の携帯型充電式電源装置を収納するためのベルトクリップ付き革ケースの概略斜視図である。図３（ａ）は第一実施形態の携帯型充電式電源装置における電池部の概略斜視図、図３（ｂ）はその電池部の概略正面図である。
【００１６】
第一実施形態の携帯型充電式電源装置は、例えば空調服や暖房服等の電源として利用されるものである。この携帯型充電式電源装置は、図１及び図３に示すように、電池部１１と、組立済回路基板（不図示）と、プラスチック製のケース４０と、密封シール５０とを備える。電池部１１には複数のリチウムイオン単電池１１１が含まれ、組立済回路基板には携帯型充電式電源装置に必要な各種の回路部品が搭載されている。電池部１１及び組立済回路基板はケース４０内に収納される（図７参照）。また、携帯型充電式電源装置の外形は略直方体形状である。尚、以下では、第一実施形態の携帯型充電式電源装置を空調服の電源として用いる場合について説明する。
【００１７】
携帯型充電式電源装置を空調服の電源として利用する場合、空調服を着用した人が動きながら作業を行うことを考慮し、携帯型充電式電源装置は人体に取り付ける必要がある。このため、携帯型充電式電源装置を図２に示す革ケース１２０に収納し、その革ケース１２０に設けられたベルトクリップ１２１を用いて革ケース１２０をベルトに留めることにより、携帯型充電式電源装置を人体に装着している。このとき、携帯型充電式電源装置は空調服に取り付けられたケーブルを介して空調服と接続され、複数のリチウムイオン単電池に蓄えられた電力がその空調服に供給される。ここで、携帯型充電式電源装置は、外部に開放された端子を有しており、この端子に空調服に取り付けられたケーブルが接続される。
【００１８】
電池部１１は、図３に示すように、四個のリチウムイオン単電池１１１，１１１，１１１，１１１と、小さな基板（不図示）と、その基板に取り付けられたケーブル１２と、ロック付き端子１３とを備えている。四個のリチウムイオン単電池１１１，１１１，１１１，１１１を接続して構成される組電池が、リチウムイオン電池である。また、小さな基板は、四個のリチウムイオン単電池１１１，１１１，１１１，１１１が組電池を構成するためのものである。小さな基板は公知のものであるので、ここでは、その詳細な説明は省略する。この小さな基板から外部に引き出されているケーブル１２は、ロック付き端子１３を介してリチウムイオン電池を組立済回路基板に接続するためのものである。尚、以下では、四個のリチウムイオン単電池１１１，１１１，１１１，１１１と、小さな基板と、ケーブル１２と、ロック付き端子１３とにより構成された電池部１１を、リチウムイオン電池１１と称することにする。
【００１９】
次に、組立済回路基板について説明する。図４（ａ）は第一実施形態の携帯型充電式電源装置における組立済回路基板の概略正面図、図４（ｂ）はその組立済回路基板の概略側面図である。
【００２０】
図４に示すように、組立済回路基板２０には、各種の回路部品が搭載されている。具体的に、組立済回路基板２０は、細長い長方形状に形成され、プリントパターンが施された基板２１と、この基板２１に搭載された二つの端子３１ａ，３１ｂと、二つの操作手段２２ａ，２２ｂと、表示手段２３と、危険防止回路部（危険防止手段）２６と、制御回路部（制御手段）２７と、表示制御回路部（表示制御手段）２８と、その他の回路部２９とを備えている。二つの端子３１ａ，３１ｂは、基板２１の上面における一方の端部に取り付けられている。各端子３１ａ，３１ｂは、外部と電力供給のやり取りを行うためのもの、すなわち、リチウムイオン電池１１を充電するための充電器のプラグを差し込むため、或いは空調服に取り付けられたケーブルの先端に接続されたプラグを差し込むためのものである。特に、第一実施形態では、各端子３１ａ，３１ｂは、リチウムイオン電池１１の充電及びリチウムイオン電池１１から外部への電力供給（放電）を行うための入出力共用端子となっている。実際、空調服はその製品の特性上、毎日充電と放電（使用）を繰り返し、また、使用時には体の動きにより端子に負荷が繰り返しかかり、端子が破損する割合が高い。二つの端子３１ａ，３１ｂをともに入出力共用端子とすることにより、いずれか一つの端子が故障しても、故障していない他の端子を使用することができるので、第一実施形態の携帯型充電式電源装置の故障率を大幅に低下させることができる。また、二つの端子３１ａ，３１ｂは、これら二つの端子３１ａ，３１ｂに外部機器のプラグを同時に差し込むことができないように基板２１上で互いに近接して配置されている。これにより、リチウムイオン電池１１を充電しながら空調服を使用する等、第一実施形態の携帯型充電式電源装置に対する不正な使用を防止することができる。
【００２１】
基板２１の上面であって端子３１ａ，３１ｂから離れた部位には、操作手段２２ａ，２２ｂ及び表示手段２３が設けられている。操作手段２２ａ，２２ｂは、制御回路部２７に対する指示を入力するものである。具体的に、操作手段２２ａ，２２ｂを操作することにより、電源のＯＮ／ＯＦＦを指示する信号やリチウムイオン電池１１からの出力電圧の変更を指示する信号を制御回路部２７に送出することができる。ここで、操作手段２２ａ，２２ｂとしては、小型のプッシュスイッチが用いられる。また、表示手段２３はリチウムイオン電池１１の残量に関する情報等を表示するものである。
【００２２】
一方、基板２１の下面であって端子３１ａ，３１ｂから離れた部位には、危険防止回路部２６、制御回路部２７、表示制御回路部２８、及び、その他の回路部２９が形成されている。危険防止回路部２６は、充電時にリチウムイオン電池１１が過充電されるのを防止する過充電防止回路（過充電防止手段）や、リチウムイオン電池１１から取り出す電力が所定の量以上にならないように制限する出力電流制限回路を含んでいる。制御回路部２７は、電源のＯＮ／ＯＦＦを制御したり、リチウムイオン電池１１から取り出す電力を制御したり、携帯型充電式電源装置の制御に必要なさまざまな処理を行うものである。表示制御回路部２８は、制御回路部２７からの信号に基づいて表示手段２３の作動を制御するものである。その他の回路部２９は、上記各回路部２６〜２８の機能以外に、携帯型充電式電源装置に必要な各種の機能を有するものであるが、ここでは、その他の回路部２９についての詳細な説明を省略する。
【００２３】
第一実施形態では、組立済回路基板２０は、二つの端子３１ａ，３１ｂが搭載され且つ配線部材である複数の第一導電手段（不図示）が形成された第一部分Ｐ１と、操作手段２２ａ，２２ｂ、表示手段２３、危険防止回路部２６、制御回路部２７、表示制御回路部２８及びその他の回路部２９が設けられ且つ配線部材である複数の第二導電手段（不図示）が形成された第二部分Ｐ２と、第一部分Ｐ１と第二部分Ｐ２との間に位置する、回路部品が形成されていない部分（仕切対応部）２４との三つの部分に分けられる。ここで、組立済回路基板２０はプリント基板に回路部品を搭載したものであり、プリント基板には各回路部品を電気的に導通させるためのプリントパターンが形成されている。第一部分Ｐ１に形成されたプリントパターンが第一導電手段であり、第二部分Ｐ２に形成されたプリントパターンが第二導電手段である。また、プリントパターンのうち、第一部分Ｐ１の回路と第二部分Ｐ２の回路とを電気的に接続する目的で形成されたプリントパターンを、他のプリントパターンと区別するために接続パターンと称することにする。具体的に、第一部分Ｐ１に形成された接続パターン２５１を「第一接続パターン」と称し、第二部分Ｐ２に形成された接続パターン２５２を「第二接続パターン」と称し、仕切対応部２４に形成された、第一接続パターン２５１と第二接続パターン２５２とを接続する接続パターン２５を「第三接続パターン」と称する。すなわち、第一部分Ｐ１に形成された複数の第一導電手段の一部が第一接続パターン２５１であり、第二部分Ｐ２に形成された複数の第二導電手段の一部が第二接続パターン２５２であり、そして、仕切対応部２４に形成されたプリントパターンが第三接続パターン２５である。この仕切対応部２４には、回路部品が形成されておらず、第三接続パターン２５だけが形成されている。尚、組立済回路基板２０は、第二部位Ｐ２の所定部位において図示しないロック付き端子を介してリチウムイオン電池１１と接続されている。
【００２４】
このように、組立済回路基板２０は、仕切対応部２４を境界として第一部分Ｐ１と第二部分Ｐ２とに区分されている。そして、この仕切対応部２４には柔軟性を有するパッキン部材が取り付けられている。図５（ａ）は組立済回路基板２０に取り付けられるパッキン部材の概略斜視図、図５（ｂ）はそのパッキン部材が取り付けられた組立済回路基板２０の概略正面図、図５（ｃ）はそのパッキン部材が取り付けられた組立済回路基板２０のＡ−Ａ矢視方向概略断面図である。図５（ａ）に示すように、パッキン部材６１としては、軟質プラスチックを用いて、側面から見たときに略コの字型に成型されたものを用いる。かかるパッキン部材６１を二つ用意し、二つのパッキン部材６１をそれぞれ、図５（ｂ），（ｃ）に示すように、組立済回路基板２０の仕切対応部２４の左右の端面から差し込む。ここで、二つのパッキン部材６１は互いに密着している。尚、組立済回路基板２０の仕切対応部２４に形成された第三接続パターン２５が、本発明の接続部に該当する。
【００２５】
次に、ケース４０について説明する。ケース４０は、リチウムイオン電池１１、二つの端子３１ａ，３１ｂ、操作手段２２ａ，２２ｂ、表示手段２３、危険防止回路部２６、制御回路部２７、表示制御回路部２８及びその他の回路部２９を収納するものであり、図１に示すように、第一ケース４１と第二ケース４２とからなる。これらの第一ケース４１及び第二ケース４２は、ケースの厚さ方向において略二分割されたものである。図６（ａ）は第一実施形態の携帯型充電式電源装置におけるケース４０の第一ケース４１の概略斜視図、図６（ｂ）はその第一ケース４１の概略正面図、図６（ｃ）は第一ケース４１と第二ケース４２とを合体させたときのケース４０の概略平面図である。
【００２６】
第一ケース４１は、図６（ａ）及び（ｂ）に示すように、一方の面が開放している略直方体形状の箱型に形成されており、リチウムイオン電池１１を収納する電池収納部４１１と、組立済回路基板２０を収納する回路基板収納部４１２とを備える。この第一ケース４１の内部には一つの仕切板４１４と二つの載置板４１５ａ，４１５ｂとが形成されている。具体的には、第一ケース４１の上部が回路基板収納部４１２であり、回路基板収納部４１２以外の第一ケース４１の部分が電池収納部４１１である。第一ケース４１の奥行きは基板２１の短辺の長さの略半分であり、第一ケース４１の左内側面と右内側面との間隔は基板２１の長辺の長さと略同じである。回路基板収納部４１２における第一ケース４１の左内側面、右内側面の所定位置にはそれぞれ、組立済回路基板２０を載置するための載置板４１５ａ，４１５ｂが略水平に形成されている。ここで、第一ケース４１の左内側面に設けた載置板４１５ａの横方向の長さは、組立済回路基板２０における端子３１ａ，３１ｂが取り付けられた第一部分Ｐ１の横方向の長さと仕切対応部２４の横方向の長さとを足し合わせた長さである。そして、載置板４１５ａは第一ケース４１の左内側面及び奥面に密着し、載置板４１５ｂは第一ケース４１の右内側面及び奥面に密着している。また、回路基板収納部４１２における第一ケース４１の上内側面の所定位置には、仕切板４１４が第一ケース４１の上内側面から下方に向かって略垂直に形成されている。具体的に、この仕切板４１４の取付け位置は、第一ケース４１の左内側面から第一部分Ｐ１の横方向の長さだけ離れた位置である。したがって、仕切板４１４は組立済回路基板２０の仕切対応部２４に対応する位置に設けられ、その仕切板４１４の下端面は載置板４１５ａの右端部と対向している。ここで、仕切板４１４の下端面と載置板４１５ａの上面との間の間隔ｄは、組立済回路基板２０の仕切対応部２４における基板２１の厚さよりも若干大きい。そして、仕切板４１４は第一ケース４１の上内側面及び奥面に密着している。
【００２７】
組立済回路基板２０を載置板４１５ａ，４１５ｂ上に載置することにより、組立済回路基板２０は略水平状態で第一ケース４１に取り付けられる。このとき、組立済回路基板２０の仕切対応部２４に取り付けられたパッキン部材６１は、仕切板４１４と載置板４１５ａとにより圧接されて押しつぶされる。そして、仕切板４１４の下端面は押しつぶされたパッキン部材６１の上面に当接し、載置板４１５ａの上面は第一部分Ｐ１及び押しつぶされたパッキン部材６１の下面と当接する。この結果、第一部分Ｐ１は仕切板４１４と載置板４１５ａとで仕切られて、第二部分Ｐ２と区分される。このように、仕切板４１４と載置板４１５ａが第一部分Ｐ１を取り囲むことにより、二つの端子３１ａ，３１ｂと第一部分Ｐ１に形成された第一導電手段であるプリントパターンとは他の回路部品から隔離された状態になる。
【００２８】
また、組立済回路基板２０を回路基板収納部４１２に収納したときにその組立済回路基板２０に取り付けられた端子３１ａに対応する第一ケース４１の左側面の所定箇所には、端子用貫通穴４１３ａが形成されている。これにより、端子３１ａは端子用貫通穴４１３ａを介して外部から接続可能になる。更に、組立済回路基板２０を回路基板収納部４１２に収納したときにその組立済回路基板２０に取り付けられた表示手段２３及び二つの操作手段２２ａ，２２ｂに対応する第一ケース４１の上面の所定箇所には、長方形状の切欠き部４１８が形成されている。
【００２９】
第二ケース４２は第一ケース４１と略同じ構造に形成されている。すなわち、第二ケース４２も、リチウムイオン電池１１を収納する電池収納部４１１と、組立済回路基板２０を収納する回路基板収納部４１２とを備え、この回路基板収納部４１２の内部には、組立済回路基板２０を載置するための二つの載置板４１５ａ，４１５ｂと、一つの仕切板４１４とが形成されている。ここで、第二ケース４２における載置板４１５ａ，４１５ｂ及び仕切板４１４はそれぞれ、第一ケース４１における載置板４１５ａ，４１５ｂ及び仕切板４１４に対応する位置に形成されている。また、第二ケース４２の側面の所定箇所には、図１（ａ），（ｃ）に示すように端子用貫通穴４１３ｂが形成され、第二ケース４２の上面の所定箇所には、長方形状の切欠き部４１８が形成されている。
【００３０】
組立済回路基板２０の半分を第一ケース４１の回路基板収納部４１２に収納した後、組立済回路基板２０の残り半分を第二ケース４２の回路基板収納部４１２に収納することにより、第一ケース４１と第二ケース４２とは相対するように組み合わせられて一体化し、図１及び図６（ｃ）に示すようなケース４０が得られる。このとき、一体化した第一ケース４１及び第二ケース４２における切欠き部４１８に相当する部分には長方形状の開口部４７が形成される。この長方形状の開口部４７には、操作方法を示した密封シール５０が貼り付けられ、これにより開口部４７を塞いでいる。ここで、密封シール５０は透明な部位を有している。使用者は、この透明な部位を有する密封シール５０を介して、表示手段２３に表示された内容を視認することができると共に、操作手段２２ａ，２２ｂを操作することができる。また、使用者は、端子用貫通穴４１３ａ，４１３ｂを介して端子３１ａ，３１ｂに所定のケーブルを接続することができる。
【００３１】
このように組立済回路基板２０を第一ケース４１（又は第二ケース４２）に収納した後、第一ケース４１と第二ケース４２とを組み合わせて一体化すると、ケース４０の内部は、第一ケース４１に設けられた載置板４１５ａ及び仕切板４１４、第二ケース４２に設けられた載置板４１５ａ及び仕切板４１４、組立済回路基板２０の仕切対応部２４により、二つの端子３１ａ，３１ｂ及び第一部分Ｐ１に形成されたプリントパターン（第一導電手段）を収納する端子収納ケース部４１６と、リチウムイオン電池１１、操作手段２２ａ，２２ｂ、表示手段２３、危険防止回路部２６、制御回路部２７、表示回路部２８、その他の回路部２９、及び第二部分Ｐ２に形成されたプリントパターン（第二導電手段）が収納された本体収納ケース部４１７とに仕切られる。すなわち、ケース４０は、第一ケース４１と第二ケース４２とを一体化してケース４０を形成したときに、端子収納ケース部４１６と本体収納ケース部４１７とが仕切板４１４と載置板４１５ａとで区分されるように構成されている。そして、第一部分Ｐ１に形成された第一接続パターン２５１と第二部分Ｐ２に形成された第二接続パターン２５２とは、仕切板４１４と載置板４１５ａとの間に設けられた仕切対応部２４に形成された第三接続パターン２５を介して電気的に接続されている。尚、仕切板４１４及び載置板４１５ａは、端子収納ケース部４１６と本体収納ケース部４１７との間を仕切る役割を果たし、本発明の仕切手段に該当する。特に、第一ケース４１における仕切板４１４及び載置板４１５ａは、本発明の第一仕切板に該当し、第二ケース４２における仕切板４１４及び載置板４１５ａは、本発明の第二仕切板に該当する。
【００３２】
また、第一ケース４１と第二ケース４２とを一体化したとき、第一ケース４１の外枠端面と第ニケース４２の外枠端面とが当接するだけでなく、第一ケース４１に設けられた載置板４１５ａの端面と第二ケース４２に設けられた載置板４１５ａの端面とが互いに当接すると共に、第一ケース４１に設けられた仕切板４１４の端面と第二ケース４２に設けられた仕切板４１４の端面とが互いに当接する。しかも、第一ケース４１に設けられた仕切板４１４及び第二ケース４２に設けられた仕切板４１４は組立済回路基板２０の仕切対応部２４に取り付けられたパッキン部材６１に圧接している。ここで、このパッキン部材６１は、仕切板４１４と組立済回路基板２０の仕切対応部２４との間、及び載置板４１５ａと組立済回路基板２０の仕切対応部２４との間における隙間を塞ぐ密閉手段としての役割を果たす。そして、仕切手段である仕切板４１４及び載置板４１５ａは、組立回路基板２０の仕切対応部２４に設けられたパッキン部材６１に圧接することにより、端子収納ケース部４１６に浸入した水が仕切手段と組立回路基板２０の仕切対応部２４との間における隙間を介して本体収納ケース部４１７に浸入するのを防止する役割を果たす。したがって、第一ケース４１と第二ケース４２とを一体化し、密封シールを本体収納ケース部４１７の開口部４７に貼り付けると、本体収納ケース部４１７内は密閉状態になる。これにより、端子３１ａ，３１ｂ又はその周辺部から雨水等が端子収納ケース部４１６内に浸入しても、その浸入した雨水等が本体収納ケース部４１７内に浸入することを防止することができるので、危険防止回路部２６が雨水等により損傷し、過充電等による重大な事故が発生するのを防止することができる。
【００３３】
次に、第一実施形態の携帯型充電式電源装置を組み立てる手順について説明する。図７は第一ケース４１にリチウムイオン電池１１と組立済回路基板２０とを収納したときの様子を示す図である。
【００３４】
まず、リチウムイオン電池１１と組立済回路基板２０とをケーブルにより電気的に接続する。次に、図７に示すように、第一ケース４１の電池収納部４１１にリチウムイオン電池１１を収納し、一方、第一ケース４１の回路基板収納部４１２に組立済回路基板２０を収納する。具体的には、組立済回路基板２０の仕切対応部２４と第一ケース４１の仕切板４１４とが対応するように組立済回路基板２０の位置合わせを行った後、仕切板４１４がパッキン部材６１に圧接するように仕切対応部２４を仕切板４１４と載置板４１５ａとの間に押し込みながら、組立済回路基板２０を載置板４１５ａ，４１５ｂ上に載置して、第一ケース４１内に取り付ける。このとき、仕切対応部２４に取り付けられたパッキン部材６１は、仕切板４１４と載置板４１５ａとにより押圧されて押しつぶされる。尚、図７では、リチウムイオン電池１１と組立済回路基板２０とを電気的に接続するケーブルを省略して示している。
【００３５】
次に、リチウムイオン電池１１と組立済回路基板２０とが収納された第一ケース４１の上に第二ケース４２を被せ、組立済回路基板２０を第二ケース４２に収納する。このとき、第一ケース４１と第二ケース４２との接触面には接着剤を塗布しており、この接着剤により第一ケース４１と第二ケース４２とは一体化する。ここで、この一体化の際、仕切対応部２４に取り付けられたパッキン部材６１は第二ケース４２の仕切板４１４によっても押しつぶされる。こうして、ケース４０は仕切板４１４及び載置板４１５ａにより端子収納ケース部４１６と本体収納ケース部４１７とに区分され、端子収納ケース部４１６には組立済回路基板２０の第一部分Ｐ１が収納され、本体収納ケース部４１７にはリチウムイオン電池１１及び組立済回路基板２０の第二部分Ｐ２が収納されることになる。また、仕切板４１４及び載置板４１５ａがパッキン部材６１に圧接するように組立回路基板２０がケース４０内に取り付けられているので、仕切板４１４と組立済回路基板２０の仕切対応部２４との間、及び、載置板４１５ａと組立済回路基板２０の仕切対応部２４との間には隙間が生じることはない。その後、ケース４０（本体収納ケース部４１７）の開口部４７に透明な密封シール５０を貼り付ける。これにより、本体収納ケース部４１７は密閉状態となる。このように、第一実施形態の携帯型充電式電源装置は容易に組み立てることができる。
【００３６】
第一実施形態の携帯型充電式電源装置では、二つの端子及び複数の第一導電手段としてのプリントパターン（第一接続パターンを含む。）が収納された端子収納ケース部とリチウムイオン電池、危険防止回路部、複数の第二導電手段としてのプリントパターン（第二接続パターンを含む。）等が収納された本体収納ケース部との間を仕切手段としての仕切板及び載置板で仕切り、また、複数の第一導電手段と複数の第二導電手段とが、組立済回路基板の仕切対応部に形成された第三接続パターンを介して電気的に接続され、仕切手段と組立済回路基板の仕切対応部との間における隙間を密閉手段としてのパッキン部材で塞いでいる。これにより、仕切手段は二つの端子及びその周辺部から端子収納ケース部に浸入した水が仕切手段と組立済回路基板の仕切対応部との間における隙間を介して本体収納ケース部に浸入するのを防止することができるので、二つの端子若しくはその周辺部から雨水等が端子収納ケース部内に浸入しても、その浸入した雨水等が本体収納ケース部内に浸入するのを防止することができる。したがって、本体収納ケース部内に収納された危険防止回路部が雨水等により損傷し、過充電等による重大な事故が発生するのを防止することができる。
【００３７】
また、第一実施形態の携帯型充電式電源装置では、組立済回路基板が、二つの端子が搭載された第一部分と、危険防止回路部、制御回路部、操作手段、表示手段、及び表示制御回路部が設けられた第二部分とに、第一部分に形成された第一接続パターンと第二部分に形成された第二接続パターンとを接続する第三接続パターンが形成された仕切対応部を境界として、区分されており、且つ、この組立済回路基板の仕切対応部には密閉手段としてのパッキン部材が取り付けられている。これにより、仕切板及び載置板がパッキン部材に圧接するように組立済回路基板を第一ケース及び第二ケース内に取り付け、組立済回路基板のうち第一部分を端子収納ケース部に収納すると共に第二部分を本体収納ケース部に収納するだけで、各回路部品を端子収納ケース部又は本体収納ケース部の所定部位に簡単に収納することができる。また、仕切板及び載置板が内部に形成された第一ケースと、第一ケースと略同じ構造に形成された第二ケースとを組み合わせて一体化することにより、その一体化した第一ケース及び第二ケース内に端子収納ケース部と本体収納ケース部とが形成されるので、携帯型充電式電源装置を容易に組み立てることができる。
【００３８】
また、第一実施形態の携帯型充電式電源装置では、二つの端子を、空調服のプラグを同時に差し込むことができないように端子収納ケース部内で互いに近接して配置したことにより、リチウムイオン電池を充電しながら空調服を使用する等、携帯型充電式電源装置に対する不正な使用を防止することができる。
【００３９】
更に、第一実施形態の携帯型充電式電源装置では、二つの端子が、リチウムイオン電池の充電及びリチウムイオン電池から外部への電力供給を行うための入出力共用端子であることにより、いずれか一つの入出力共用端子が故障しても、故障していない他の入出力共用端子を使用することができるので、携帯型充電式電源装置の故障率を大幅に低下させることができる。
【００４０】
尚、上記の第一実施形態では、密閉手段として、軟質プラスチックにより略コの字型に形成されたパッキン部材を用いた場合について説明したが、密閉手段としては、一般的な様々なものを用いることができる。
【００４１】
また、上記の第一実施形態では、第一ケースと第二ケースとを接着剤により一体化する場合について説明したが、第一ケースと第二ケースとの一体化を、例えば機械的な方法等、各種の方法により行うことができる。
【００４２】
［第二実施形態］
次に、本発明の第二実施形態について説明する。図８（ａ）は第二実施形態の携帯型充電式電源装置における第一ケースの概略正面図、図８（ｂ）はその第一ケースのＢ−Ｂ矢視方向概略断面図、図８（ｃ）は第二実施形態の携帯型充電式電源装置におけるパッキン付き多芯ケーブルの概略斜視図である。第二実施形態の携帯型充電式電源装置の外観は、図１に示す第一実施形態の携帯型充電式電源装置の外観と略同じである。このため、第二実施形態の携帯型充電式電源装置の説明においても図１を参照することにする。尚、第二実施形態において、第一実施形態のものと同一の機能を有するものには、同一の符号を付すことにより、その詳細な説明を省略する。
【００４３】
第二実施形態の携帯型充電式電源装置は、図１及び図８に示すように、リチウムイオン電池（不図示）と、組立済回路基板（不図示）と、プラスチック製のケース４０と、パッキン付き多芯ケーブル９０とを備える。第二実施形態のリチウムイオン電池は第一実施形態のものと同じである。第二実施形態の組立済回路基板が第一実施形態の組立済回路基板と異なる点は、危険防止回路部が搭載されていない点である。すなわち、第二実施形態の組立済回路基板には、二つの端子と、二つの操作手段と、表示手段と、制御回路部と、表示制御回路部と、その他の回路部とが搭載されている。
【００４４】
第二実施形態のケース４０も、第一実施形態と同様に、厚さ方向に略二分割された第一ケースと第二ケースとの二つのケースにより構成されているが、第一ケース及び第二ケースの構造は第一実施形態の第一ケース及び第二ケースの構造と異なっている。図８（ａ）に示すように、第二実施形態の第一ケース４１Ａは、一方の面が開放している略直方体形状の箱型に形成されており、電池収納部４１１と、組立済回路基板を収納する回路基板収納部４１２とを備える。具体的には、第一ケース４１Ａの上部が回路基板収納部４１２であり、回路基板収納部４１２以外の第一ケース４１Ａの部分が電池収納部４１１である。この電池収納部４１１には、リチウムイオン電池及び危険防止回路部が収納される。すなわち、第二実施形態では、危険防止回路部は、組立済回路基板と異なる別の基板に搭載されており、当該別の基板が電池収納部４１１に収納される。尚、リチウムイオン電池と危険防止回路部とは電気的に接続されている。
【００４５】
回路基板収納部４１２における第一ケース４１Ａの左内側面、右内側面の所定位置にはそれぞれ、組立済回路基板を載置するための載置板４１５ａ，４１５ｂが略水平に取り付けられている。また、回路基板収納部４１２と電池収納部４１１との境界となる第一ケース４１Ａの所定位置には仕切板４１４ａが略水平に取り付けられている。この仕切板４１４ａには、半円形の切欠き部８０が形成されている。
【００４６】
第二ケースは第一ケース４１Ａと略同じ構造に形成されている。すなわち、第二ケースも、リチウムイオン電池及び危険防止回路部を収納する電池収納部４１１と、組立済回路基板を収納する回路基板収納部４１２とを備える。この回路基板収納部４１２には、組立済回路基板２０を載置するための載置板４１５ａ，４１５ｂが取り付けられ、回路基板収納部４１２と電池収納部４１１との間には、仕切板４１４ａが取り付けられている。そして、仕切板４１４ａには半円形の切欠き部８０が形成されている。
【００４７】
組立済回路基板を第一ケース４１Ａの回路基板収納部４１２に収納した後に、第二ケースの回路基板収納部４１２に収納することにより、第一ケース４１Ａと第二ケースとは相対するように組み合わせられて一体化し、ケース４０が得られる。このとき、一体化した第一ケース４１Ａ及び第二ケースにおける切欠き部８０に相当する部分には円形の貫通穴が形成される。この貫通穴は、多芯ケーブル９０を貫通させるためのものである。ここで、貫通穴と多芯ケーブル９０との間における隙間は後述のパッキン部材で塞がれる。また、第一実施形態と同様に、ケース４０における長方形状の開口部には、透明な部材を有する密封シールが貼り付けられる。
【００４８】
このように組合済回路基板を第一ケース４１Ａ（又は第二ケース）に収納した後、第一ケース４１Ａと第二ケースとを組み合わせて一体化すると、ケース４０の内部は、第一ケース４１Ａに設けられた仕切板４１４ａと第二ケースに設けられた仕切板４１４ａとにより、二つの端子、操作手段、表示手段、制御回路部、表示回路部、その他の回路部を収納する端子収納ケース部４１６ａと、リチウムイオン電池及び危険防止回路部を収納する本体収納ケース部４１７ａとに仕切られる。すなわち、第二実施形態では、回路基板収納部４１２に相当する部位が端子収納ケース部４１６ａであり、電池収納部４１１に相当する部位が本体収納ケース部４１７ａである。このように、仕切板４１４ａは、端子収納ケース部４１６ａと本体収納ケース部４１７ａとの間を仕切る役割を果たし、本発明の仕切手段に該当する。
【００４９】
パッキン付き多芯ケーブル９０は、図８（ｃ）に示すように、絶縁された複数の導電線を束ねて被覆したものである。この多芯ケーブル９０の断面は略円形状である。また、多芯ケーブル９０の中央部には、柔軟性の高いパッキン部材６２が設けられている。ここで、このパッキン部材６２の外径は、仕切板４１４ａに形成される貫通穴の直径よりも少し大きくなっている。多芯ケーブル９０は貫通穴に通される。そして、多芯ケーブル９０の一方の端部が端子収納ケース部４１６ａに収納された組立済回路基板と接続され、他方の端部が本体収納ケース部４１７ａに収納された危険防止回路と接続される。尚、多芯ケーブル９０のうち、端子収納ケース部４１６ａに収納されている部位が本発明の第一導電手段に該当し、本体収納ケース部４１７ａに収納されている部位が本発明の第二導電手段に該当し、そして、円形の貫通穴に配置されている部位が本発明の接続部に該当する。
【００５０】
また、第一ケース４１Ａと第二ケースとを一体化したとき、第一ケース４１Ａに設けられた仕切板４１４ａと第二ケースに設けられた仕切板４１４ａとが互いに密接する。したがって、各部品を収納後、第一ケース４１Ａと第二ケースとを一体化すると、本体収納ケース部４１７ａ内は密閉状態になる。これにより、端子又はその周辺部から雨水等が端子収納ケース部４１６ａ内に浸入しても、その浸入した雨水等が本体収納ケース部４１７ａ内に浸入することを防止することができるので、危険防止回路部が雨水等により損傷し、過充電等による重大な事故が発生するのを防止することができる。実際、本実施形態では、雨水が端子収納ケース部のどこからその内部に浸入したとしても本体収納ケース部に浸入することはない。したがって、「端子又はその周辺部から雨水等が端子収納ケース内に浸入しても」という表現における「その周辺部」とは、広く、端子を収納する端子収納ケース部全体を意味する。
【００５１】
次に、第二実施形態の携帯型充電式電源装置を組み立てる手順について説明する。
まず、組立済回路基板と危険防止回路部が搭載された基板とをパッキン付き多芯ケーブル９０により電気的に接続する。次に、リチウムイオン電池及び危険防止回路部が搭載された基板を第一ケース４１Ａの電池収納部４１１に収納する。そして、組立回路基板を、載置板４１５ａ，４１５ｂに載せて、第一ケース４１の回路基板収納部４１２に収納する。その後、パッキン付き多芯ケーブル９０のパッキン部材６２を、第一ケース４１の切欠き部８０に嵌め込む。
【００５２】
次に、第一ケース４１Ａの上に第二ケースを被せる。このとき、第一ケース４１Ａと第二ケースとの接触面には接着剤が塗布されており、この接着剤により第一ケース４１Ａと第二ケースとが一体化する。こうして、ケース４０は端子収納ケース部４１６ａと本体収納ケース部４１７ａとに分けられ、端子収納ケース部４１６ａには組立済回路基板及び複数の第一導電手段が収納され、本体収納ケース部４１７ａにはリチウムイオン電池、危険防止回路部が搭載された基板、及び複数の第二導電手段のみが収納されることになる。また、貫通穴に配置されたパッキン部材６２は第一ケース４１Ａの仕切板４１４ａ及び第二ケースの仕切板４１４ａによって押しつぶされており、多芯ケーブル９０と仕切板４１４ａとの間には隙間が生じることはない。これにより、本体収納ケース部４１７ａは密閉状態となる。こうして、第二実施形態の携帯型充電式電源装置が完成する。
【００５３】
第二実施形態の携帯型充電式電源装置では、二つの端子、操作手段、表示手段、制御回路部、表示制御回路部、複数の第一導電手段等が収納された端子収納ケース部と、リチウムイオン電池、危険防止回路部及び複数の第二導電手段が収納された本体収納ケース部との間を仕切手段としての仕切板により仕切り、また、仕切板に形成された貫通穴に、パッキン部材を介して多芯ケーブルを配し、第一導電手段及び第二導電手段でもある多芯ケーブルにより組立済回路基板と危険防止回路部を電気的に接続している。これにより、仕切板は二つの端子及びその周辺部から端子収納ケース部に浸入した水が仕切板に形成された貫通穴を介して本体収納ケース部に浸入するのを防止することができるので、二つの端子若しくはその周辺部から雨水等が端子収納ケース部内に浸入しても、すなわち、雨水等が端子収納ケース部のどこからその内部に浸入しても、その浸入した雨水等が本体収納ケース部内に浸入するのを防止することができる。したがって、本体収納ケース部内に収納された危険防止回路部が雨水等により損傷し、過充電等による重大な事故が発生するのを防止することができる。また、仕切板が内部に形成された第一ケースと、第一ケースと略同じ構造に形成された第二ケースとを組み合わせて一体化することにより、その一体化した第一ケース及び第二ケース内に端子収納ケース部と本体収納ケース部とが形成されるので、携帯型充電式電源装置を容易に組み立てることができる。
【００５４】
また、上記の第二実施形態では、一つの多芯ケーブルを第一導電手段及び第二導電手段としても用いる場合について説明したが、仕切板に一又は複数の貫通穴を形成し、各貫通穴に、第一導電手段と第二導電手段とを電気的に接続する接続部に該当する電極を、仕切板との間の隙間が生じないように嵌め込むようにしてもよい。図９（ａ）は本発明の接続部として用いられる電極が取り付けられた仕切板の概略正面図、図９（ｂ）その仕切板のＣ−Ｃ矢視方向概略拡大断面図である。図９の例では、第一ケースの仕切板４１４ｂに二つの貫通穴を形成すると共に、第二ケースの仕切板４１４ｂに二つの貫通穴を形成している。そして、これら各貫通穴に円筒状の電極２１０を嵌め込んでいる。電極２１０の外径は貫通穴の直径よりも若干大きい。このため、電極２１０を貫通穴に嵌め込むと、電極２１０と貫通穴との間には隙間は生じない。また、各電極２１０の両端部にはそれぞれ、第一導電手段の端部、第二導電手段の端部が接続される。これにより、第一導電手段と第二導電手段とは、電極２１０を介して電気的に接続されることになる。
【００５５】
［第三実施形態］
次に、本発明の第三実施形態について説明する。図１０（ａ）は第三実施形態の携帯型充電式電源装置の概略正面図、図１０（ｂ）はその携帯型充電式電源装置における本体収納ケース部の概略斜視図、図１０（ｃ）はその携帯型充電式電源装置における端子収納ケース部の概略斜視図、図１０（ｄ）はその端子収納ケース部の概略裏面図である。図１１（ａ）は端子収納ケース部及び本体収納ケース部に取り付けられる電極の概略斜視図、図１１（ｂ）は電極が取り付けられた端子収納ケース部の概略裏面図、図１１（ｃ）はその端子収納ケース部のＤ−Ｄ矢視方向概略拡大断面図である。尚、第三実施形態において、第一実施形態又は第二実施形態のものと同一の機能を有するものには、同一の符号を付すことにより、その詳細な説明を省略する。
【００５６】
第三実施形態の携帯型充電式電源装置は、図１０に示すように、リチウムイオン電池（不図示）と、組立済回路基板（不図示）と、プラスチック製のケース４０Ｂとを備える。この第三実施形態の携帯型充電式電源装置が第二実施形態のものと異なる点は、端子収納ケース部４１６ｂと本体収納ケース部４１７ｂとが着脱自在に形成されている点である。その他の点は上記第二実施形態と同様である。すなわち、リチウムイオン電池は第一実施形態のものと同じであり、組立済回路基板は第二実施形態のものと同じである。
【００５７】
端子収納ケース部４１６ｂは、組立済回路基板及び複数の第一導電手段を収納するものであり、図１０（ｃ）に示すように、第一ケース４１０ａと第二ケース４２０ａとを組み合わせて一体化することにより形成されている。端子収納ケース部４１６ｂの底板（底部）には、図１０（ｄ）に示すように複数の第一導電手段（不図示）の端部と接続される複数の電極（第一電極）２２０ａが配置されている。例えば、複数の第一電極２２０ａの一部又は全部が端子収納ケース部４１６ｂの底板に埋め込まれ、複数の第一電極２２０ａは底板と一体的に形成されている。具体的には、各ケース４１０ａ，４２０ａを成型する際に、ケース４１０ａ，４２０ａと複数の第一電極２２０ａとが一体成型されている。第三実施形態では、図１１（ａ）に示すように、第一電極２２０ａとして、平坦な本体部と、その本体部の端部に形成された二つの脚部とを有するものを用いている。また、第一電極２２０ａの二つの脚部の長さは異なっており、長い方の脚部には第一導電手段の端部が接続される。更に、端子収納ケース部４１６ｂの側面には、図１０（ｃ）に示すように、四つの窪み４６１が形成されている。更に、四つの窪み４６１が形成された側面とは異なる側面には、二つの端子用貫通穴４１３ａ，４１３ｂが形成されている。
【００５８】
一方、本体収納ケース部４１７ｂは、リチウムイオン電池、危険防止回路部が搭載された回路基板、及び複数の第二導電手段を収納するものであり、図１０（ｂ）に示すように、第一ケース４１０ｂと第二ケース４２０ｂとを組み合わせて一体化することにより形成されている。この本体収納ケース部４１７ｂの天板（天部）は本発明の仕切手段に該当する。この天板には、上記端子収納ケース部４１６ｂと同様に、複数の第二導電手段（不図示）の端部と接続される複数の電極（第二電極）２２０ｂの一部又は全部が埋め込まれ、複数の第二電極２２０ｂは本体収納ケース部４１７ｂの天板と一体的に形成されている。かかる第二電極２２０ｂとしても、図１１（ａ）に示すものを用いており、ケース４１０ｂ，４２０ｂと複数の第二電極２２０ｂとは一体的に成型されている。本実施形態では、複数の第二電極２２０ｂが本発明の接続部に該当する。尚、各電極を各ケースに一体的に形成する方法としては、当該ケースと電極とを一体成型する方法に限らず、一般的な各種の方法を用いることができる。
【００５９】
本体収納ケース部４１７ｂの上部には、四つの爪部４６２が上方に突き出た状態に形成されている。端子収納ケース部４１６ｂの底板と本体収納ケース部４１７ｂの天板とが対向するようにして、端子収納ケース部４１６ｂを本体収納ケース部４１７ｂの上に載置すると、各爪部４６２がそれに対応する窪み４６１に嵌め込まれて、爪部４６２と窪み４６１との嵌合状態が実現されることにより、端子収納ケース部４１６ｂを本体収納ケース部４１７ｂに容易に装着することができる。このとき、端子収納ケース部４１６ｂの底板に取り付けられた第一電極２２０ａは、本体収納ケース部４１７ｂの天板に取り付けられた第二電極２２０ｂと圧接する。すなわち、第三実施形態では、端子収納ケース部４１６ｂの底板に取り付けられた第一電極２２０ａと本体収納ケース部４１７ｂの天板に取り付けられた第二電極２２０ｂとは、端子収納ケース部４１６ｂを本体収納ケース部４１７ｂに装着するときに、電気的に接触するように構成されている。
【００６０】
また、爪部４６２と窪み４６１との嵌合状態を解除することにより、端子収納ケース部４１６ｂを本体収納ケース部４１７ｂから容易に取り外すことができる。
【００６１】
また、図１０（ａ）に示すように、端子収納ケース部４１６ｂの横幅は本体収納ケース部４１７ｂの横幅よりも短くなっている。このため、端子収納ケース部４１６ｂを本体収納ケース部４１７ｂに装着すると、本体収納ケース部４１７ｂの左側上部には段差が生じる。この段差の部分は、空調服のプラグを端子に接続したときにそのプラグが収まる場所となる。このようにプラグがケース４０Ｂから突出しないことにより、空調服の使用中に誤って当該プラグに大きな力がかかってしまうのを回避することができるので、プラグや端子が破損する可能性を大幅に低下させることができる。
【００６２】
また、第三実施形態の携帯型充電式電源装置では、端子収納ケース部４１６ｂを本体収納ケース部４１７ｂから取り外したとき、使用者が間違って本体収納ケース部４１７ｂの天板に取り付けられた第二電極を短絡してしまう恐れがある。このため、第三実施形態では、危険防止回路部に、ＰＴＣ（Positive Temperature Coefficient）等による短絡防止回路部（短絡防止手段）を含めている。これにより、本体収納ケース部４１７ｂにおいて第二電極間が短絡されたときに、短絡防止回路部が電流の流れを直ちに遮断することができる。
【００６３】
第三実施形態の携帯型充電式電源装置では、二つの端子、操作手段、表示手段、制御回路部、表示制御回路部、複数の第一導電手段等が収納された端子収納ケース部と、リチウムイオン電池、危険防止回路部及び複数の第二導電手段が収納された本体収納ケース部との間を仕切手段により仕切り、また、複数の第一導電手段と複数の第二導電手段とを、端子収納ケース部の底板に取り付けられた第一電極及び本体収納ケース部の天板に取り付けられた第二電極を介して電気的に接続し、第一電極及び第二電極はそれぞれ、端子収納ケース部、本体収納ケース部と一体化されている。これにより、仕切手段は二つの端子及びその周辺部から端子収納ケース部に浸入した水が仕切手段の所定部位を介して本体収納ケース部に浸入するのを防止することができるので、二つの端子若しくはその周辺部から雨水等が端子収納ケース部内に浸入しても、その浸入した雨水等が本体収納ケース部内に浸入するのを防止することができる。したがって、本体収納ケース部内に収納された危険防止回路部が雨水等により損傷し、過充電等による重大な事故が発生するのを防止することができる。特に、第三実施形態では、端子収納ケース部と本体収納ケース部とは着脱自在に形成されているので、使用者は、携帯型充電式電源装置を使用しないときに、端子収納ケース部を本体収納ケース部から簡単に取り外して、それらを保管することができる。
【００６４】
尚、上記の第三実施形態では、端子収納ケース部の底板に、第一導電手段の端部と接続される第一電極を埋め込んでおき、端子収納ケース部を本体収納ケース部に装着したときに第一電極を本体収納ケース部の天板に取り付けられた第二電極と圧接させることにより、端子収納ケース部に収納された回路基板と本体収納ケース部に収納された回路基板とを接続する場合について説明した。端子収納ケース部に収納された回路基板と本体収納ケース部に収納された回路基板とを接続する方法としては、上記方法以外の様々な方法を用いることができる。いま、第三実施形態の変形例を説明する。図１２（ａ）は第三実施形態の変形例である携帯型充電式電源装置の端子収納ケース部の概略裏面図、図１２（ｂ）はその携帯型充電式電源装置の端子収納ケース部のＥ−Ｅ矢視方向概略断面図、図１２（ｃ）はその携帯型充電式電源装置の本体収納ケース部の概略斜視図、図１２（ｄ）はその携帯型充電式電源装置において本体収納ケース部の天板に設けられた第二電極と本体収納ケース部内に収納された回路基板との関係を説明するための図である。ここで、図１２（ｂ）では、端子収納ケース部に収納された回路基板上に搭載された各種の回路部品等を省略して示している。
【００６５】
この変形例が第三実施形態と異なる点は、第一電極として板状又は棒状の弾性を有する電極を用いると共に、この弾性を有する電極の先端部を端子収納ケース部の底板に形成した開口部から突出させている点である。また、第一電極及び第二電極をそれぞれ二つ設けることにしている。すなわち、この変形例では、電極として正電極と負電極の二つを用いる場合を考えている。その他の構成は、上述した第三実施形態におけるものと同じであるので、ここでは、その詳細な説明を省略する。
【００６６】
この変形例では、図１２（ａ）に示すように、端子収納ケース部４１６ｃの底板に二つの開口部３１０,３１０が形成されている。また、図１２（ｂ）に示すように、端子収納ケース部４１６ｃに収納された組立済回路基板２０には、板状又は棒状の弾性を有する電極３２０の一方の端部が取り付けられている。そして、この弾性を有する電極３２０は、その他方の端部が開口部３１０から少し外に突出するように配置される。ここで、弾性を有する電極３２０の他方の端部は図１２（ｂ）に示すように略Ｕ字状に折曲されている。かかる弾性を有する電極３２０が本発明の第一電極及び第一導電手段に該当する。具体的には、弾性を有する電極３２０のうち開口部３１０及びその外側に位置する部分が本発明の第一電極に該当し、それ以外の部分が本発明の第一導電手段に該当する。一方、図１２（ｃ），（ｄ）に示すように、本体収納ケース部４１７ｃの天板にも二つの開口部が形成され、これらの開口部に、本発明の第二電極である電極板３３０が嵌め込まれている。この電極板３３０の表面は平らになっている。ここで、電極板３３０は開口部に隙間なく嵌め込まれており、これにより、本体収納ケース部４１７ｃは完全に密閉されている。また、本体収納ケース部４１７ｃに収納された、危険防止回路部が搭載された回路基板Ｘの上面には、板状又は棒状の弾性を有する電極３４０の一方の端部が取り付けられている。この弾性を有する電極３４０の他方の端部は電極板３３０の下面と接触されており、これにより、本体収納ケース部４１７ｃに収納された回路基板Ｘと電極板３３０とが電気的に接続される。ここで、弾性を有する電極３４０の他方の端部は図１２（ｄ）に示すように略Ｕ字状に折曲されている。このように、この変形例では、端子収納ケース部４１６ｃにおいて弾性を有する電極３２０の一部が開口部３１０から外に突出しているので、端子収納ケース部４１６ｃを本体収納ケース部４１７ｃに装着すると、弾性を有する電極３２０の端部は、本体部収納ケース部４１７ｃの天板に取り付けられた電極板３３０の上面と圧接するようになる。
【００６７】
尚、端子収納ケース部４１６ｃの底板には開口部３１０が形成されているため、端子収納ケース部４１６ｃを本体収納ケース部４１７ｃから取り外すと、端子又はその周辺部からだけでなく、開口部３１０からも雨水等が端子収納ケース部４１６ｃに浸入することが考えられる。しかし、この場合であっても、危険防止回路部が収納された本体収納ケース部４１７ｃは完全に密閉されているので、雨水等が本体収納ケース部４１７ｃ内に浸入するのを防止することができる。
【００６８】
また、上記の第三実施形態では、本体収納ケース部に形成した爪部を端子収納ケース部に形成した窪みに嵌め込むことにより、端子収納ケース部を本体収納ケース部に装着する場合について説明したが、端子収納ケース部を本体収納ケース部に装着する方法はこれに限られない。一般には、端子収納ケース部に第一嵌合手段を設けると共に本体収納ケース部に第一嵌合手段と嵌合する第二嵌合手段を設け、第一嵌合手段と第二嵌合手段との嵌合状態を形成又は解除することにより、端子収納ケース部と本体収納ケース部とを着脱自在に構成すればよい。
【００６９】
また、上記の第三実施形態（変形例を含む）では、端子収納ケース部と本体収納ケース部とが着脱自在に形成されているので、本体収納ケース部に収納されたリチウムイオン電池を充電する場合、端子収納ケース部を経由せずに直接、本体収納ケース部の天板に取り付けられた第二の電極を充電用電極として使用し、専用の充電器を用いてリチウムイオン電池の充電を行うようにしてもよい。この場合、端子収納ケース部に収納された組立済回路基板には充電を行うための回路機能を設けなくてもよい。
【００７０】
更に、上記の第三実施形態では、端子収納ケース部（本体収納ケース部）を、第一ケースと、その第一ケースと略同じ構造に形成された第二ケースとを組み合わせて一体化することにより形成する場合について説明したが、端子収納ケース部（本体収納ケース部）は他の方法で形成するようにしてもよい。例えば、端子収納ケース部（本体収納ケース部）は、一方の面が開放している箱体に、その開放している面を塞ぐように上板を取り付けことにより形成するようにしてもよい。
【００７１】
［他の実施形態］
尚、本発明は上記の各実施形態に限定されるものではなく、その要旨の範囲内において種々の変形が可能である。
【００７２】
上記の各実施形態では、本発明の携帯型充電式電源装置が二つの端子を備える場合について説明したが、三つ又は四つ以上の端子を備えるようにしてもよい。この場合、複数の端子を、いずれか二つの端子に外部機器のプラグを同時に差し込むことができないように端子収納ケース部内で互いに近接して配置することが望ましい。また、本発明の携帯型充電式電源装置は一つの端子を備えるものであってもよい。
【００７３】
また、上記の各実施形態では、本発明の携帯型充電式電源装置が一つのリチウムイオン電池を備える場合について説明したが、二つ以上のリチウムイオン電池を備えるようにしてもよい。
【００７４】
更に、上記の各実施形態では、本発明の携帯型充電式電源装置が表示手段を備える場合について説明したが、表示手段（及び表示制御回路部）を必ずしも備える必要はない。本発明の携帯型充電式電源装置を空調服の電源として使用する場合、使用者は、作業中にファンを継続して作動させることが多く、満充電の状態にあるリチウムイオン電池によるファンの連続作動可能時間を予め知っているため、作業中に電池の残量を確認する必要がないからである。また、本発明の携帯型充電式電源装置はリチウムイオン電池から取り出す電圧の可変機能を必ずしも備える必要はない。作業内容によっては一定電圧でファンを作動させることが多いからである。尚、電圧の可変機能を備えていない場合でも、出力電流が所定の量以上にならないように制限するなどの一定の機能は必要である。
【産業上の利用可能性】
【００７５】
以上説明したように、本発明の携帯型充電式電源装置では、少なくとも一又は複数の端子及び複数の第一導電手段が収納された端子収納ケース部と少なくとも一又は複数のリチウムイオン電池、危険防止手段及び複数の第二導電手段が収納された本体収納ケース部との間を仕切手段で仕切り、複数の第一導電手段と複数の第二導電手段とが、仕切手段の所定部位に設けられた接続部において電気的に接続されている。仕切手段は、一又は複数の端子及びその端子の周辺部から端子収納ケース部に浸入した水が仕切手段の当該所定部位を介して本体収納ケース部に浸入するのを防止するため、一又は複数の端子若しくはその周辺部から雨水等が端子収納ケース部内に浸入しても、その浸入した雨水等が本体収納ケース部内に浸入するのを防止することができるので、本体収納ケース部内に収納された危険防止手段が雨水等により損傷し、過充電等による重大な事故が発生するのを防止することができる。したがって、本発明は、特に高い安全性が要求される空調服や暖房服の電源として利用するのに好適である。
【符号の説明】
【００７６】
１１  電池部（リチウムイオン電池）
１１１  リチウムイオン単電池
１２  ケーブル
１３  ロック付き端子
２０  組立済回路基板
２１  基板
２２ａ，２２ｂ  操作手段
２３  表示手段
２４  仕切対応部
２５  第三接続パターン
２５１  第一接続パターン
２５２  第二接続パターン
２６  危険防止回路部（危険防止手段）
２７  制御回路部（制御手段）
２８  表示制御回路部（表示制御手段）
２９  その他の回路部
３１ａ，３１ｂ  端子
４０，４０Ｂ  ケース
４１，４１Ａ，４１０ａ，４１０ｂ  第一ケース
４１１  電池収納部
４１２  回路基板収納部
４１３ａ，４１３ｂ  端子用貫通穴
４１４，４１４ａ，４１４ｂ  仕切板（仕切手段）
４１５ａ，４１５ｂ  載置板
４１６，４１６ａ，４１６ｂ，４１６ｃ  端子収納ケース部
４１７，４１７ａ，４１７ｂ，４１７ｃ  本体収納ケース部
４１８  切欠き部
４２，４２０ａ，４２０ｂ  第二ケース
４６１  窪み
４６２  爪部
４７  開口部
５０  密封シール
６１，６２  パッキン部材（密閉手段）
８０  切欠き部
９０  パッキン付き多芯ケーブル
１２０  革ケース
１２１  ベルトクリップ
２１０  電極
２２０ａ  第一電極
２２０ｂ  第二電極
３１０  開口部
３２０  弾性を有する電極
３３０  電極板
３４０  弾性を有する電極
【図１】
2015092927.tif 000003
【図２】
2015092927.tif 000004
【図３】
2015092927.tif 000005
【図４】
2015092927.tif 000006
【図５】
2015092927.tif 000007
【図６】
2015092927.tif 000008
【図７】
2015092927.tif 000009
【図８】
2015092927.tif 000010
【図９】
2015092927.tif 000011
【図１０】
2015092927.tif 000012
【図１１】
2015092927.tif 000013
【図１２】
2015092927.tif 000014
【国際調査報告】
2015092927.tif 000015
2015092927.tif 000016
2015092927.tif 000017
2015092927.tif 000018